(57)【特許請求の範囲】
【請求項１】
手で簡単につぶれるような薄目の材料を用い、上端開口した底部２０のある筒形容器としてホルダ本体１１を構成し、このホルダ本体１１の上縁部に、外方へ広がり、かつ、ホルダ本体１１の内側に傾斜した鍔部１２を形成し、前記ホルダ本体１１の内壁面の上部に、ホルダ本体１１の内壁を垂直断面が円弧で、かつ、水平線に対し中央がやや高く、両端が低く湾曲するように溝状に膨出した複数個のスペーサ１３と、これらのスペーサ１３の間であって、膨出しない流下隙間１４とを交互に設け、前記底部２０の上の貯溜空間１７に臨ませて、ホルダ本体１１の内壁を垂直断面が円弧で、かつ、水平に膨出した複数個のコップ受け１５と、これらのコップ受け１５の間であって膨出しない流下隙間１６とを交互に形成し、前記スペーサ１３とコップ受け１５との間に凹凸のあるすべり止め１８を形成し、前記ホルダ本体１１の成型時に、鍔部１２、スペーサ１３、流下隙間１４、すべり止め１８、コップ受け１５、流下隙間１６、貯溜空間１７、底部２０を射出成型により一体に成型加工したことを特徴とするコップホルダ。
【発明の詳細な説明】
【０００１】
【発明の属する技術分野】
本発明は、飲み物を入れたガラスなどの市販のコップを手で持つときにそのコップを受けて持つためのコップホルダに関するものである。
【０００２】
【従来の技術】
ガラスのコップに冷たい飲み物を入れると、コップの外側表面に水滴が生じる。これを直接手で持つと、手に水滴がついて手、衣服、テーブルなどが汚れて不衛生となったり、滑って落としたり、コップの中の飲み物が手で暖められて氷が溶けたり、飲み物の風味や味を損ねてしまったりすることがある。
また、ビールや炭酸の入った飲み物の場合には、泡がコップからこぼれてテーブル、衣服などを汚してしまう。
【０００３】
従来、このような飲み物を入れたガラスのコップを手で持つ場合、ペーパーナフキンをコップの外側に巻き付けて持ったり、コップを直接手で持つときには、コップの下にコースターを敷く必要があった。
【０００４】
【発明が解決しようとする課題】
ペーパーナフキンをコップの外側に巻き付けて持つ方法では、水滴を吸い取ってくれるとともに、断熱性によりコップの中の飲み物が手で暖められるのをある程度緩和してくれる。しかし、泡がコップからこぼれ落ちる量までは吸収することができず、また、長い時間手で持つと、どうしても手の温かさでコップの中の飲み物が暖められてしまう。また、コップをテーブルの上に置くときに安定性に欠け、倒れる恐れがある。
また、コップの下にコースターを敷く方法では、特に立食スタイルでは、コースターをコップと一緒に持ち運ぶことが面倒で通常ではほとんど持ち運ぶことはない。
【０００５】
本発明は、コップに水滴が生じても不衛生にならず、また、泡がコップからあふれても手についたりこぼれたりすることのないコップホルダを安価に提供することを目的とするものである。
【０００６】
【課題を解決するための手段】
本発明は、手で簡単につぶれるような薄目の材料を用い、上端開口した底部２０のある筒形容器としてホルダ本体１１を構成し、このホルダ本体１１の上縁部に、外方へ広がり、かつ、ホルダ本体１１の内側に傾斜した鍔部１２を形成し、前記ホルダ本体１１の内壁面の上部に、ホルダ本体１１の内壁を垂直断面が円弧で、かつ、水平線に対し中央がやや高く、両端が低く湾曲するように溝状に膨出した複数個のスペーサ１３と、これらのスペーサ１３の間であって、膨出しない流下隙間１４とを交互に設け、前記底部２０の上の貯溜空間１７に臨ませて、ホルダ本体１１の内壁を垂直断面が円弧で、かつ、水平に膨出した複数個のコップ受け１５と、これらのコップ受け１５の間であって膨出しない流下隙間１６とを交互に形成し、前記スペーサ１３とコップ受け１５との間に凹凸のあるすべり止め１８を形成し、前記ホルダ本体１１の成型時に、鍔部１２、スペーサ１３、流下隙間１４、すべり止め１８、コップ受け１５、流下隙間１６、貯溜空間１７、底部２０を射出成型により一体に成型加工したことを特徴とするコップホルダである。
【０００７】
このように構成されたホルダ本体１１に、市販のコップ１０を入れると、コップ１０の飲み物が冷たいために、コップ１０の外表面に水滴が生じても、手で直接触ることがないので、手が濡れて衣服やテーブルを汚したりすることが無く、極めて衛生的である。また、コップ１０に注いだ飲み物がコップ１０の縁からあふれたようなとき、コップ１０の外表面を伝わって流れ落ちる飲み物がホルダ本体１１の鍔部１２で受け止められてホルダ本体１１の中へ導かれ、さらにスペーサ１３に案内されて流下隙間１４から落下し、下方の流下隙間１６を通り、貯溜空間１７に溜められる。
【０００８】
【発明の実施の形態】
本発明の実施例を図面に基づき説明する。
図１及び図２において、ホルダ本体１１は、中にコップ１０を入れて手に持つために、上端が開口し、底のある筒形容器であり、プラスチック、防水された紙などからなる。このホルダ本体１１は、光を通して中に入れたコップ１０の飲み物が見えるように、透明か半透明であることが望ましい。このホルダ本体１１は、一般的に最も多く用いられている市販のコップ１０と比較して、その内径が市販のコップ１０の外径よりもやや大きく、高さが市販のコップ１０の高さの１／２〜２／３程度とする。
【０００９】
このホルダ本体１１の上端縁の鍔部１２は、外側にやや広がり、かつ、ホルダ本体１１の内側に傾斜して形成され、コップ１０から飲み物がこぼれたときのこぼれ受けとなるとともに、手に持って滑ったときの滑り止めを兼ねている。
また、ホルダ本体１１の内壁の周囲であって、前記鍔部１２のやや下に位置してスペーサ１３が設けられている。このスペーサ１３は、ホルダ本体１１にコップ１０を入れたとき、ホルダ本体１１の内壁との間に隙間を形成するためのもので、このスペーサ１３は、４個所又は３個所に流下隙間１４が形成されるように、４分割又は３分割し、また、コップ１０からこぼれた飲み物が円滑に流下隙間１４へ導かれて落下するように両側を低くした湾曲に形成されている。
【００１０】
また、ホルダ本体１１の内側の底部２０の上は、貯溜空間１７となっており、この貯溜空間１７に臨ませて内方に突出したコップ受け１５が設けられている。このコップ受け１５は、中に入れたコップ１０を受けるために、コップ１０の底の外径よりも内側まで突出し、かつ、流下隙間１４から落下してきた飲み物が流下隙間１６を介して貯溜空間１７へ流れ込むように、４分割又は３分割して形成する。このコップ受け１５は、あまり高くすると中にコップ１０を入れてテーブルなどに置いたときに安定性に欠けるので、底部２０の上の数ｍｍから１０数ｍｍ程度とする。
前記ホルダ本体１１の外側面には、手で持ったときの滑りを止めるために溝、凹凸、梨地面などのすべり止め１８を形成する。
【００１１】
以上のように構成されたホルダ本体１１に、市販のコップ１０を入れる。
コップ１０の飲み物が冷たいために、コップ１０の外表面に水滴が生じても、手で直接触ることなく、ホルダ本体１１の外側から手に持つので、手が濡れて衣服やテーブルを汚したりすることが無く、極めて衛生的である。また、コップ１０に注いだ飲み物がコップ１０の縁からあふれたようなとき、コップ１０の外表面を伝わって流れ落ちる飲み物がホルダ本体１１の鍔部１２で受け止められてホルダ本体１１の中へ導かれ、さらにスペーサ１３に案内されて流下隙間１４から落下し、下方の流下隙間１６を通り、貯溜空間１７に溜められる。
この貯溜空間１７に粉末状の吸収材１９を入れておけば、貯溜空間１７に溜められた飲み物が吸収され、ホルダ本体１１が倒れるようなことがあっても流れ出ることが無い。
【００１２】
図１において、ホルダ本体１１におけるスペーサ１３の内径を、コップ１０の外径と略一致するように図示したが、コップ１０の外径の大きな物にも小さな物にも本発明のコップホルダを利用できるようにするためには、スペーサ１３の内径を大きなコップ１０に合せて形成し、かつ、ホルダ本体１１を手で持ったとき比較的簡単につぶれるような薄目の材料で形成する。このようにすれば、小さい径のコップ１０のときは、ホルダ本体１１が手でつぶれてホルダ本体１１の内壁がコップ１０の外表面に圧接して保持される。
前記実施例において、コップ受け１５は円弧状の鍔のような形状としたが、これに限られるものではなく、二重底とし、流下隙間１６は、コップ受け１５に穴をあけた構造としても良い。
【００１３】
図３は、本発明の第２実施例を示すものである。図１及び図２に示した第１実施例では、スペーサ１３とコップ受け１５をホルダ本体１１と一体に構成したが、図３に示す第２実施例では、別体とした例を示すもので、ホルダ本体１１の底部２０に、二重底となるようなコップ受け１５と流下隙間１６を形成した台座状のものを嵌め込み、また、ホルダ本体１１の上縁部には、鍔部１２とスペーサ１３と流下隙間１４とを形成したものを嵌め込み固定する。
【００１４】
図４は、本発明の第３実施例を示すもので、ホルダ本体１１における鍔部１２、スペーサ１３，流下隙間１４，コップ受け１５，流下隙間１６，貯溜空間１７．すべり止め１８，底部２０をすべて射出成型などにより一体に同時成型加工したものである。このような構成とすることで、安価に大量生産ができる。
【００１５】
図５は、本発明の第４実施例を示すもので、この例では、ホルダ本体１１の外表面の上部、下部、必要に応じてすべり止め１８部分にも、表示空間２１として宣伝文を記載したり、装飾の絵柄などを記載して宣伝効果や美的効果を持たせた例を示すものである。
【００１６】
【発明の効果】
請求項１記載の発明によれば、上端開口した底部２０のある筒形容器としてホルダ本体１１を構成し、このホルダ本体１１の上縁部に、外方へ広がり、かつ、ホルダ本体１１の内側に傾斜した鍔部１２を形成し、前記ホルダ本体１１の内壁面の上部に、ホルダ本体１１の内壁を垂直断面が円弧で、かつ、水平線に対し中央がやや高く、両端が低く湾曲するように溝状に膨出した複数個のスペーサ１３と、これらのスペーサ１３の間であって、膨出しない流下隙間１４とを交互に設け、前記底部２０の上の貯溜空間１７に臨ませて、ホルダ本体１１の内壁を垂直断面が円弧で、かつ、水平に膨出した複数個のコップ受け１５と、これらのコップ受け１５の間であって膨出しない流下隙間１６とを交互に形成し、前記スペーサ１３とコップ受け１５との間に凹凸のあるすべり止め１８を形成し、前記ホルダ本体１１の成型時に、鍔部１２、スペーサ１３、流下隙間１４、すべり止め１８、コップ受け１５、流下隙間１６、貯溜空間１７、底部２０を射出成型により一体に成型加工したので、コップ１０に注いだ飲み物や泡がコップ１０の縁からあふれたようなとき、コップ１０の外表面を伝わって流れ落ちる飲み物がホルダ本体１１の鍔部１２で受け止められてホルダ本体１１の中へ導かれ、さらにスペーサ１３に案内されて流下隙間１４から落下し、下方の流下隙間１６を通り、貯溜空間１７に溜められ、外へこぼれることがない。また、コップ１０の外表面に水滴が生じても、手で直接触ることがないので、手が濡れて衣服やテーブルを汚したりすることが無く、極めて衛生的である。ホルダ本体１１の断熱性によりコップの中の飲み物が手で暖められるのを防ぎ、氷が溶けたり、飲み物の風味や味を損ねてしまったりすることがない。さらに、コップをテーブルの上に置くときに安定性があり、倒れる心配はない。コップの下に敷くコースターを兼用することができる。鍔部１２が外側にやや広がっているので、飲み物のこぼれ受けとなるだけでなく、手に持って滑ったときの滑り止め効果もある。
また、ホルダ本体１１の成型時に、鍔部１２、スペーサ１３、流下隙間１４、すべり止め１８、コップ受け１５、流下隙間１６、貯溜空間１７、底部２０を射出成型により一体に成型加工したので、安価に大量製造が可能となる。
さらに、手で簡単につぶれるような薄目の材料を用いて成型加工したので、小さい径のコップ１０のときは、ホルダ本体１１が手でつぶれてホルダ本体１１の内壁がコップ１０の外表面に圧接して保持される。
【図面の簡単な説明】
【図１】本発明によるコップホルダの第１実施例を示す縦断面図である。
【図２】図１におけるコップホルダの平面図である。
【図３】本発明によるコップホルダの第２実施例を示す縦断面図である。
【図４】本発明によるコップホルダの第３実施例を示す縦断面図である。
【図５】本発明によるコップホルダの第４実施例を示す正面図である。
【符号の説明】
１０…市販のコップ、１１…ホルダ本体、１２…鍔部、１３…スペーサ、１４…流下隙間、１５…コップ受け、１６…流下隙間、１７…貯溜空間、１８…すべり止め、１９…吸収材、２０…底部、２１…表示空間。
【図１】
0003622961.tif 000002
【図２】
0003622961.tif 000003
【図３】
0003622961.tif 000004
【図４】
0003622961.tif 000005
【図５】
0003622961.tif 000006